(57)【特許請求の範囲】
【請求項１】
コンセントと接続される端子ピン（１１０）と両側に端子ピン（１１０）が挿入される端子ピン孔（１２１）が設けられ、中央には分離ピン孔（１２２）が貫設され、端子ピン（１１０）が固定された形態を有するように維持させる端子固定部材（１２０）とを含む端子固定部（１００）と、
一側には前記端子固定部材（１２０）の外周部が挿嵌される端子固定部材挿入部（２１１）が形成され、他側には一部が開放したレバーホール（２１２）が設けられ、レバーホール（２１２）の内側壁両側に軸穴（２１３）が凹設されたカートリッジ本体（２１０）と、前記カートリッジ本体（２１０）のレバーホール（２１２）に挿入されて軸穴（２１３）に結合されるための回動軸（２２１）が両側に突設され、上部は回動軸（２２１）が偏心になるように一側に向かって伸び、使用者が力を加える加圧部（２２２）及び前記加圧部（２２２）から緩やかな曲率をなすカム部（２２３）が形成され、回動軸（２２１）を中心に回動するレバー（２２０）と、前記カートリッジ本体（２１０）に内蔵された状態でレバー（２２０）の回動によってカム部（２２３）と接触してスライドする分離ピン（２３０）とを含むレバーカートリッジ（２００）と、
前記端子ピン（１１０）の端部に連結され、電源を供給する電源線（３００）と、
前記レバー（２２０）の一部が外部に突出できるように一側に開放孔（４３０）が形成され、端子固定部（１００）、レバーカートリッジ（２００）及び電源線（３００）を外部から保護するためにパッケージングされたカバー（４００）とを含み、
前記カバー（４００）の下部には人差し指で容易に把持するために多数の凹凸を含む把持部（４４０）が突設され、
前記分離ピン（２３０）は棒状に構成され、
分離ピン（２３０）の一側端にはレバー（２２０）のカム部（２２３）と接触する摩擦部（２３１）が形成され、前記摩擦部（２３１）は、平たい底面をなす装着面（２３１ａ）、及び、前記レバー（２２０）の回転によってカム部（２２３）と接触しながら分離ピン（２３０）を押し出すラウンド面（２３１ｂ）からなり、
前記軸穴（２１３）の下側の底部には、レバー（２２０）が垂直に立てられた状態で装着できるようにレバーの曲率に対応するレバー装着部（２１４）が形成され、前記レバー装着部（２１４）から段差をなすように連結され、分離ピン（２３０）が位置する底部には分離ピン（２３０）がスライドしながら移動するための分離ピンスライド部（２１６）が平たく形成され、前記分離ピンスライド部には、レバー（２２０）の回転時、一定角度以上に回転できないように、カム部（２２３）の曲率に対応するラウンド面を有するレバーストッパー（２１５）がさらに形成されたことを特徴とする、分離が容易な電源プラグ。
【請求項２】
コンセントと接続される端子ピン（１１０）と前記端子ピン（１１０）の端部に連結されて端子ピン（１１０）の接続部を伸ばし、プラグ（Ｐ）と接続される接続部材（１１１）と両側に端子ピン（１１０）が挿入される端子ピン孔（１２１）が設けられ、中央には分離ピン孔（１２２）が貫設され、端子ピン（１１０）が固定された形態を有するように維持させる端子固定部材（１２０）とを含む端子固定部（１００）と、
一側には前記端子固定部材（１２０）の外周部が挿嵌される端子固定部材挿入部（２１１）が形成され、他側には一部が開放したレバーホール（２１２）が設けられ、レバーホール（２１２）の内側壁両側に軸穴（２１３）が凹設され、レバー（２２０）と分離ピン（２３０）が結合されるカートリッジ本体（２１０）と、前記カートリッジ本体（２１０）のレバーホール（２１２）に挿入されて軸穴（２１３）に結合されるための回動軸（２２１）が両側に突設され、上部には使用者が力を加える加圧部（２２２）が形成され、回動軸（２２１）の反対側端部には緩やかな曲率を有するカム部（２２３）が形成され、回動軸（２２１）を中心に回動するレバー（２２０）と、前記カートリッジ本体（２１０）
に内蔵された状態でレバー（２２０）の回動によってカム部（２２３）と接触してスライドする分離ピン（２３０）とを含むレバーカートリッジ（２００）と、
レバー（２２０）の一部が外部に突出できるように一側に開放孔（４３０）が形成され、コンセントと接続される端子ピン（１１０）の反対側にプラグ（Ｐ）が締結されるためのプラグ挿入孔（４５０）が形成され、端子固定部（１００）及びレバーカートリッジ（２００）を外部から保護するためにパッケージングされたカバー（４００）とを含み、
前記カバー（４００）の下部には人差し指で容易に把持するために多数の凹凸を含む把持部（４４０）が突設され、
前記分離ピン（２３０）は棒状に構成され、
分離ピン（２３０）の一側端にはレバー（２２０）のカム部（２２３）と接触する摩擦部（２３１）が形成され、前記摩擦部（２３１）は、平たい底面をなす装着面（２３１ａ）、及び、レバー（２２０）の回転によってカム部（２２３）と接触しながら分離ピン（２３０）を押し出すラウンド面（２３１ｂ）からなり、
前記軸穴（２１３）の下側の底部には、レバー（２２０）が垂直に立てられた状態で装着できるようにレバーの曲率に対応するレバー装着部（２１４）が形成され、前記レバー装着部（２１４）から段差をなすように連結され、分離ピン（２３０）が位置する底部には分離ピン（２３０）がスライドしながら移動するための分離ピンスライド部（２１６）が平たく形成され、前記分離ピンスライド部には、レバー（２２０）の回転時、一定角度以上に回転できないように、カム部（２２３）の曲率に対応するラウンド面を有するレバーストッパー（２１５）がさらに形成されたことを特徴とする、分離が容易な電源プラグアダプター。
【発明の詳細な説明】
【技術分野】
【０００１】
本発明は、分離が容易な電源プラグ及び電源プラグアダプターに関するものであり、より具体的には大きな力を使用しなくてもコンセントから安全で簡単に分離できる、分離が容易な電源プラグ及び電源プラグアダプターに関するものである。
【背景技術】
【０００２】
一般に電源プラグは、電気、電子製品に連結されて取り付けられ、コンセントに供給された電源を電気、電子製品に供給する用途に用いられる。
【０００３】
このような電源プラグには、コンセントから電源の供給が受けられるようにコンセントの電源供給端子に差し込まれて噛み合う接続ピンが備えられる。
【０００４】
一方、コンセントの電源供給端子は電源プラグの接続ピンを堅固に保持して電源が印加される状態を安定的に維持する。この際、電源プラグがコンセントから簡単に離脱できないように、接続ピンがコンセントの電源供給端子に締まりばめで結合される。
【０００５】
しかし、このように電源プラグの接続ピンがコンセントの電源供給端子に締まりばめで堅固に結合されているため、後でコンセントから電源プラグを分離しようとするときには分離しにくく、電源プラグを分離するために大きな力を必要とするため、使用の不便さが発生し、電源線を掴んでむりやりに引っ張って電源プラグを分離することによって断線が発生して短絡などの事故が発生するおそれがある。
【０００６】
一方、従来には、前記のような問題を解決するため、分離用レバーを有するプラグ（大韓民国特許公開第２００１−００７５９９３号）が提示されたことがある。
【０００７】
図１は従来の分離用レバーを有するプラグの斜視図である。同図に示したように、上記の従来の分離用レバーを有するプラグ１０は、内部に空間部をなす本体部１１と、前記本体部１１から外部に伸び、導電体からなる端子ピン１３と、一端部が前記本体部１１の内部から外部に突出可能なコンセント押圧部材１５と、前記本体部１１の内部から外部に露出され、外部に露出された部分を押すことにより、本体部１１の内部の前記押圧部材１５の他端部を押すことができるレバー１７とを含む。
【０００８】
図２は従来の分離用レバーを有するプラグの作動状態を示した図であり、プラグ１０がコンセント２０に結合された状態から分離しようとする場合、レバー１７をヒンジピン１７ａを中心に回動して押圧部材１５を下方に押し出してプラグ１０をコンセント２０から分離させる構造である。
【０００９】
前記従来の分離用レバーを有するプラグ１０は、コンセント２０から分離するためにレバー１７を回動させる。この際、プラグ１０を把持した状態で、レバー１７を作動することに困難があり、レバー１７を引っ張って押圧部材１５を下側に突出させる構造に形成されることにより、最終にコンセント２０からプラグ１０の分離時に力の損失が発生する。よって、プラグ１０を分離するのに大きな力が必要とされる困難な問題がある。
【００１０】
一方、図３は従来の電源プラグアダプターを示した図である。図３の従来の電源プラグアダプターは、一般的に２２０Ｖを１１０Ｖに変換、或いは１１０Ｖを２２０Ｖに変換する目的で用いられものであり、家電製品の電源プラグのように電源線と一体にパッケージングされて仕上げられた既存の電源プラグの場合は、電源プラグを分離することができない構造であるため、コンセントから分離するための構成の電源プラグを適用して使うことが難しい問題がある。
【発明の概要】
【発明が解決しようとする課題】
【００１１】
本発明は前述した従来技術の問題点を解決するために案出されたものであり、コンセントから電源プラグを分離するとき、レバーを容易に押すことができる安定的な把持感を提供し、電源プラグの分離のために使用者が加える力の損失を減らすことで、大きな力を使用しなくても簡単にコンセントから分離可能な、容易に分離できる電源プラグを提供することにその目的がある。
【００１２】
また、家電製品の電源プラグのように、電源線と一体にパッケージングされて仕上げられた既存の電源プラグと結合して、容易にコンセントから電源プラグアダプターを分離させることにより、電源が印加できないように遮断できる電源プラグアダプターを提供することに他の目的がある。
【課題を解決するための手段】
【００１３】
前記のような目的を達成するための本発明の技術的思想は、コンセントと接続される端子ピンと、両側に端子ピンが挿入される端子ピン孔が設けられ、中央には分離ピン孔が貫設され、端子ピンが固定された形態を有するように維持させる端子固定部材とを含む端子固定部と、一側には前記端子固定部材の外周部が挿嵌される端子固定部材挿入部が形成され、他側には一部が開放したレバーホールが設けられ、レバーホールの内側壁両側に軸穴が凹設されたカートリッジ本体と、前記カートリッジ本体のレバーホールに挿入されて軸穴に結合されるための回動軸が両側に突設され、上部は回動軸が偏心になるように一側に向かって伸び、使用者が力を加える加圧部及び前記加圧部から緩やかな曲率をなすカム部が形成され、回動軸を中心に回動するレバーと、前記カートリッジ本体に内蔵された状態でレバーの回動によってカム部と接触してスライドする分離ピンとを含むレバーカートリッジと、前記端子ピンの端部に連結され、電源を供給する電源線；及び前記レバーの一部が外部に突出することができるように一側に開放孔が形成され、端子固定部、レバーカートリッジ及び電源線を外部から保護するためにパッケージングされたカバーとを含み、前記カバーの下部には人差し指で容易に把持するために多数の凹凸を含む把持部が突設され、前記分離ピンは棒状に構成され、分離ピンの一側端にはレバーのカム部と接触する摩擦部が形成され、前記摩擦部は平たい底面をなす装着面及びレバーの回転によってカム部と接触しながら分離ピンを押し出し、前記カム部の曲率と対称の曲率を有するラウンド面からなり、  前記軸穴の下側の底部には、レバーが垂直に立てられた状態で装着できるようにレバーの曲率に対応するレバー装着部が形成され、前記レバー装着部から段差をなすように連結され、分離ピンが位置する底部には分離ピンがスライドしながら移動するための分離ピンスライド部が平たく形成され、前記分離ピンスライド部には、レバーの回転時、一定角度以上に回転できないように、カム部の曲率に対応するラウンド面を有するレバーストッパーがさらに形成されたことを特徴とする。
【００１４】
一方、他の目的を達成するための本発明の技術的思想は、コンセントと接続される端子ピンと前記端子ピンの端部に連結されて端子ピンの接続部を伸ばし、プラグＰと接続される接続部材と両側に端子ピンが挿入される端子ピン孔が設けられ、中央には分離ピン孔が貫設され、端子ピンが固定された形態を有するように維持させる端子固定部材とを含む端子固定部と、一側には前記端子固定部材の外周部が挿嵌される端子固定部材挿入部が形成され、他側には一部が開放したレバーホールが設けられ、レバーホールの内側壁両側に軸穴が凹設され、レバーと分離ピンが結合されるカートリッジ本体と、前記カートリッジ本体のレバーホールに挿入されて軸穴に結合されるための回動軸が両側に突設され、上部には使用者が力を加える加圧部が形成され、回動軸の反対側端部には緩やかな曲率を有するカム部が形成され、回動軸を中心に回動するレバーと、前記カートリッジ本体に内蔵された状態でレバーの回動によってカム部と接触してスライドする分離ピンとを含むレバーカートリッジと、レバーの一部が外部に突出できるように一側に開放孔が形成され、コンセントと接続される端子ピンの反対側にプラグＰが締結されるためのプラグ挿入孔が形成され、端子固定部１００及びレバーカートリッジを外部から保護するためにパッケージングされたカバーとを含み、前記カバーの下部には人差し指で容易に把持するために多数の凹凸を含む把持部が突設され、前記分離ピンは棒状に構成され、分離ピンの一側端にはレバーのカム部と接触する摩擦部が形成され、前記摩擦部は平たい底面をなす装着面及びレバーの回転によってカム部と接触しながら分離ピンを押し出し、前記カム部の曲率と対称状の曲率を有するラウンド面からなり、前記軸穴の下側の底部には、レバーが垂直に立てられた状態で装着できるようにレバーの曲率に対応するレバー装着部が形成され、前記レバー装着部から段差をなすように連結され、分離ピンが位置する底部には分離ピンがスライドしながら移動するための分離ピンスライド部が平たく形成され、前記分離ピンスライド部には、レバーの回転時、一定角度以上に回転できないように、カム部の曲率に対応するラウンド面を有するレバーストッパーがさらに形成されたことを特徴とする。
【発明の効果】
【００１５】
前記のような本発明による分離が容易な電源プラグ及び電源プラグアダプターは次のような効果がある。
【００１６】
電源プラグの場合、人差し指で電源プラグの下部に形成された把持部を把持することで安定的に電源プラグを把持でき、レバーのカム部の外周面の輪郭に沿って分離ピンの摩擦部が円滑に接触できる。
【００１７】
電源プラグアダプターの場合、電源線と一体化され分離し難い電源プラグに容易に着脱して使用できる。
【００１８】
これにより、電源プラグを安定的に把持した状態で、曲面で形成されたカム部と分離ピンのラウンド面が円滑に接触することによって、抵抗が最小化した状態で分離ピンが移動でき、レバーを押すときに発生する力の損失を減らして加圧力を極大化させることで、相対的に小さな力でコンセントから電源プラグを分離することができる効果がある。
【００１９】
又、家電製品などに適用された一体化した電源プラグにも結合して使用できるので、容易にコンセントから電源プラグアダプターを分離させることで、電源が印加されることを遮断できる効果がある。
【図面の簡単な説明】
【００２０】
【図１】従来の分離用レバーを有するプラグの斜視図である。
【図２】従来の分離用レバーを有するプラグの作動状態図である。
【図３】従来の電源プラグアダプターの斜視図である。
【図４】本発明による分離が容易な電源プラグの前方から見た分解斜視図である。
【図５】本発明による分離が容易な電源プラグの後方から見た分解斜視図である。
【図６】本発明による分離が容易な電源プラグの結合斜視図である。
【図７】本発明による分離が容易な電源プラグの部分切開斜視図である。
【図８】本発明による分離が容易な電源プラグのレバーを押す前の作動状態図である。
【図９】本発明による分離が容易な電源プラグのレバーを押した後の作動状態図である。
【図１０】本発明による分離が容易な電源プラグアダプターの斜視図である。
【図１１】本発明による分離が容易な電源プラグアダプターの内部様子を示した部分切開斜視図である。
【図１２】本発明による分離が容易な電源プラグアダプターの後面斜視図である。
【図１３】本発明による分離が容易な電源プラグアダプターの使用状態図である。
【図１４】本発明による分離が容易な電源プラグアダプターの他実施例において、後面斜視図である。
【図１５】本発明による分離が容易な電源プラグアダプターの他実施例において、形態別の正面部分例示図である。
【図１６】本発明による分離が容易な電源プラグアダプターの他実施例において、形態別の後面部分例示図である。
【発明を実施するための形態】
【００２１】
本願の明細書及び請求範囲に使用された用語又は単語は、通常的又は辞書的な意味に限定して解釈されてはいけなく、発明者は自分の発明を最良の方法で説明するために用語の概念を適切に定義できるという原則に従って、本発明の技術的思想に合う意味及び概念に解釈されなければならない。
【００２２】
以下では、本発明による好適な実施例を添付した図４〜図１３に基づいて詳細に説明する。
【００２３】
図１は従来の分離用レバーを有するプラグの斜視図であり、図２は従来の分離用レバーを有するプラグの作動状態図であり、図３は従来の電源プラグアダプターの斜視図である。図４は本発明による分離が容易な電源プラグの前方から見た分解斜視図であり、図５は本発明による分離が容易な電源プラグの後方から見た分解斜視図であり、図６は本発明による分離が容易な電源プラグの結合斜視図であり、図７は本発明による分離が容易な電源プラグの部分切開斜視図であり、図８は本発明による分離が容易な電源プラグのレバーを押す前の作動状態図であり、図９は本発明による分離が容易な電源プラグのレバーを押した後の作動状態図であり、図１０は本発明による分離が容易な電源プラグアダプターの斜視図であり、図１１は本発明による分離が容易な電源プラグアダプターの内部形態を示した部分切開斜視図であり、図１２は本発明による分離が容易な電源プラグアダプターの後面斜視図であり、図１３は本発明による分離が容易な電源プラグアダプターの使用状態図である。図１４は本発明による分離が容易な電源プラグアダプターの他実施例においての後面斜視図であり、図１５は本発明による分離が容易な電源プラグアダプターの他実施例においての形態別正面部分の例示図であり、図１６は本発明による分離が容易な電源プラグアダプターの他実施例においての、形態別後面部分の例示図である。
【００２４】
図面に基づいて説明すれば、本発明による分離が容易な電源プラグは、大別して、端子固定部１００、レバーカートリッジ２００、電源線３００、及びカバー４００を含む。
【００２５】
端子固定部１００は、コンセントに直接差し込まれて接続される端子ピン１１０と、端子ピン１１０を固定させる端子固定部材１２０とからなり、前記端子固定部材１２０の両側には、端子ピン１１０が差し込まれて固定されるための端子ピン孔１２１が形成される。
【００２６】
この際、前記端子ピン１１０の場合、コンセントと接続される前方部は伝導体で、端子固定部材１２０に固定される部分は絶縁体で形成されることが好ましい。
【００２７】
また、端子固定部材１２０に端子ピン１１０を結合する過程において、端子ピン１１０をインサート射出金型に位置させた状態で、インサート射出成形を利用して端子固定部材１２０を射出成形することで、端子ピン１１０と端子固定部材１２０を一体化した構造で製作できる。
【００２８】
一方、前記端子固定部材１２０の端子ピン孔１２１の間の中央には後述する分離ピン２３０が貫通する分離ピン孔１２２が形成される。
【００２９】
この際、前記分離ピン孔１２２は前後方向に一部突出するように形成することで、後述するレバーカートリッジ２００との締結性を向上させることができる。
【００３０】
このように、端子固定部材１２０は端子ピン１１０が固定された形態を有するように維持させる役目をする。
【００３１】
次に、レバーカートリッジ２００は、レバー２２０と分離ピン２３０を内蔵して作動できる空間を提供する。
【００３２】
前記レバーカートリッジ２００は、レバー２２０と、分離ピン２３０と、これらを内蔵する外部胴体であるカートリッジ本体２１０とで構成される。
【００３３】
カートリッジ本体２１０は、前記端子固定部材１２０の外側部が挿嵌されるための端子固定部材挿入部２１１が一側に形成される。
【００３４】
そして、他側には、一部が開放したレバーホール２１２が設けられる。
【００３５】
前記レバーホール２１２は後述するレバー２２０が作動するための空間を提供する。
【００３６】
一方、前記レバーホール２１２が形成された内側壁の両側には軸穴２１３が凹設される。これはレバー２２０が結合され回動する地点にあたる。
【００３７】
また、前記軸穴２１３の下側の底部には、レバー２２０が垂直に立てられた状態で装着されるようにレバー装着部２１４が形成される。
【００３８】
前記レバー装着部２１４は、レバー２２０が柔軟に回転できるように、図４に示したように、レバー２２０の曲率に対応するように形成されることが好ましい。
【００３９】
また、軸穴２１３が形成されたカートリッジ本体２１０の内側壁には、レバー２２０が作動するとき、一定角度以上に回動することができないように、レバーストッパー２１５が形成される。
【００４０】
前記レバーストッパー２１５は後述する分離ピンスライド部に形成され、レバー２２０の下側面の曲率に対応するラウンド面が形成される。
【００４１】
ここでは、レバー２２０の下側面とは後述するカム部を言う。
【００４２】
また、前記レバー装着部２１４に連結される分離ピン２３０が位置する底部には、後述する分離ピン２３０がスライドしながら移動するための分離ピンスライド部２１６が平らに形成される。
【００４３】
前記分離ピンスライド部２１６はレバー装着部２１４から上側に段差をなすように形成され、前記レバーストッパー２１５は、図５に示したように、分離ピンスライド部２１６の一側に設けられる。
【００４４】
一方、レバー２２０は分離ピン２３０を作動させるためのもので、前記カートリッジ本体２１０のレバーホール２１２に挿入される。
【００４５】
前記レバー２２０は一定の厚さを有し、外周面が曲面で形成された本体を有し、両側面には軸穴２１３に結合するための回動軸２２１が突設される。
【００４６】
この際、レバー２２０の外周面の一側は使用者がレバー作動のために力を加えるための部分で、平たい形状の加圧部２２２が形成される。
【００４７】
また、前記加圧部２２２の反対側の側端外周面部分は分離ピン２３０と接触するカム部２２３が形成される。
【００４８】
前記カム部２２３は緩やかな曲率を有するように形成されることにより、分離ピン２３０との摩擦の際、円滑に摩擦されて摩擦抵抗を減らされる。
【００４９】
すなわち、使用者が力を加える上部には加圧部２２２が形成され、その反対側部分にはカム部２２３が形成された構造を有する。
【００５０】
このように、レバー２２０は使用者のレバー作動によって回動軸２２１を中心に回動される。
【００５１】
一方、分離ピン２３０はコンセントと直接接触して電源プラグを分離させる役目をする。
【００５２】
前記分離ピン２３０はカートリッジ本体２１０に挿入された状態で前記端子固定部材１２０の分離ピン孔１２２に結合される。
【００５３】
分離ピン２３０は円筒棒状に構成され、一側端にはレバー２２０のカム部２２３と接触する摩擦部２３１が形成される。
【００５４】
この際、前記摩擦部２３１の底部には装着面２３１ａが平らに形成され、側面にはカム部２３３と直接接触するラウンド面２３１ｂが形成される。
【００５５】
前記装着面２３１ａは前述したカートリッジ本体２１０の分離ピンスライド部２１６に装着されるように位置する。
【００５６】
また、ラウンド面２３１ｂは、装着面２３１ａの端部から垂直する位置まで外周面が曲面をなすように形成される。
【００５７】
これは、レバー２２０のカム部２２３と接触するとき、円滑に滑るように摩擦することで、抵抗を減らすためである。
【００５８】
すなわち、カム部２２０とラウンド面２３１ｂがお互いに曲面の外周部によって摩擦面積を減らすことにより、レバー作動によって分離ピン２３０のスライド移動できる。
【００５９】
また、レバー２２０が再び復帰する場合にも摩擦抵抗を最小化できる。
【００６０】
次に、電源線３００は電源を供給する役目をする。
【００６１】
前記電源線３００は端子ピン１１０の端部に連結され、カートリッジ本体２１０の外側に配置されるように取り付けられる。
【００６２】
次に、カバー４００は、前記端子固定部１００、レバーカートリッジ２００及び電源線３００を外部から保護する役目をする。
【００６３】
前記カバー４００は、レバー２２０の一部が外部に突出できるように、一側にレバーカートリッジ２００のレバーホール２１２の形状に対応するように開放した開放孔４３０が形成される。
【００６４】
そして、前部は中央に分離ピン２３０が貫通するための分離ピン貫通孔４１０が貫設され、前記分離ピン貫通孔４１０の両側には端子ピン１１０が貫通するための端子ピン貫通孔４２０が形成される。
【００６５】
この際、端子ピン１１０は、端子ピン貫通孔４２０を貫通して外部に突出し、分離ピン２３０は分離ピン貫通孔４１０に挿入された状態で、レバー２２０の作動時、分離ピン貫通孔４１０の外部に突出するようになる。
【００６６】
一方、前記カバー４００の下部開放孔４３０の反対側には人差し指で容易に把持できるように把持部４４０が突設される。
【００６７】
この際、把持力を高めるために、多数の凹凸を形成することもできる。
【００６８】
前述したように、カバー４００は、端子固定部１００、レバーカートリッジ２００及び電源線３００を外部から保護するようにパッケージングされる。この際、インサート射出方式で一体化構造に形成されるか、場合によっては上部と下部に分けられ、ネジで結合されることもできる。
【００６９】
以下、本発明による分離が容易な電源プラグアダプターについて説明する。
【００７０】
本発明による分離の容易な電源プラグアダプターは、大別して、端子固定部１００、レバーカートリッジ２００及びカバー４００からなる。
【００７１】
前記端子固定部１００は前述した本発明の電源プラグの端子固定部１００と同一の形態を有する。
【００７２】
ここで、端子ピン１１０の端部には、端子ピン１１０の接続部を延長させ、プラグＰと接続する。
【００７３】
すなわち、電源プラグの端子ピン１１０の端部に連結される電源線３００の代わりに前記接続部材１１１がさらに設けられるものである。
【００７４】
前記接続部材１１１の一側は端子ピン１１０に結合され、他側はプラグＰが挿入接続されるために円形に曲げられ、一部が切開されて弾性を有するように形成される。
【００７５】
これは、プラグＰが締まりばめで結合されて結束力を維持するためのものである。
【００７６】
次に、レバーカートリッジ２００も前記本発明の電源プラグと同様な構造に形成される。これについての具体的な説明は省略する。
【００７７】
最後に、電源プラグアダプターのカバー４００は前記端子固定部１００及びレバーカートリッジ２００を外部から保護する役目をする。
【００７８】
まず、前記カバー４００は、レバー２２０の一部が外部に突出できるように、一側にレバーカートリッジ２００のレバーホール２１２の形状に対応するように開放した開放孔４３０が形成される。
【００７９】
そして、前部は中央に分離ピン２３０が貫通するための分離ピン貫通孔４１０が貫設され、前記分離ピン貫通孔４１０の両側には端子ピン１１０が貫通するための端子ピン貫通孔４２０が形成される。
【００８０】
この際、端子ピン１１０は端子ピン貫通孔４２０を貫通して外部に突出され、分離ピン２３０は分離ピン貫通孔４１０に挿入された状態で、レバー２２０の作動時、分離ピン貫通孔４１０の外部に突出するようになる。
【００８１】
一方、前記カバー４００の下部開放孔４３０の反対側には、人差し指で容易に把持するための把持部４４０が突設される。この際、把持力を高めるために、多数の凹凸を形成することもできる。
【００８２】
また、コンセントと接続される端子ピン１１０の反対側にはプラグＰが締結されるためのプラグ挿入孔４５０が形成される。
【００８３】
前記挿入孔４５０を通じて一体化した家電製品などの電源プラグが挿入されて締結されることができる。
【００８４】
この際、前記挿入孔４５０には、挿入孔４５０の内部に異物の流入及び感電の危険を遮断するために、挿入孔４５０を塞ぐための安全カバー４５１が設けられる。
【００８５】
前記安全カバー４５１はプラグＰが挿入されていない状態では挿入孔４５０を塞いでいるが、プラグＰを挿入すれば自然に開放できる構造のもので、一側を基準に安全カバー４５１が回動できる公知の一般的な構造で形成される。
【００８６】
このように、プラグＰが挿入孔４５０に挿入されれば、安全カバー４５１が回動して開放され、接続部材１１１に挿入されながら結合される。
【００８７】
前述したように、カバー４００は端子固定部１００及びレバーカートリッジ２００を外部から保護するようにパッケージングされる。この際、インサート射出方式による一体化した構造に形成されるか、場合によっては上部と下部に分けられて、螺子で結合されることもできる。
【００８８】
一方、本発明の電源プラグ及び電源プラグアダプターの端子ピン１１０の形態が、図面では２２０ｖ用のものとして示されているが、使用電圧によって１１０ｖ用のものにも取り替えて使うこともできる。
【００８９】
以下では、本発明による分離が容易な電源プラグアダプターの他の実施例を添付図面の図１４〜図１６に基づいて説明する。
【００９０】
一般に、コンセント及びプラグの形態は国家毎に規格化され、互いに異なる形態が使われている。
【００９１】
その形態は、プラグの端子ピンと接地端子によってＡ型からＭ型まで区分される。
【００９２】
図１４は本発明による分離が容易な電源プラグアダプターの他実施例の後面斜視図であり、図１０〜図１３を参照して説明した非接地形態の電源プラグアダプターの外に接地端子が設けられた電源プラグアダプターを例示したものである。
【００９３】
前記接地端子は、端子ピン１１０が取り付けられた正面とプラグ挿入孔４５０が形成された後面に各々適用できる。
【００９４】
一方、図１５は本発明の分離が容易な電源プラグアダプターの他実施例において、形態別正面部分を例示した図である。図示したように、本発明の電源プラグアダプターはＦ型及びＥ型などの規格に合うように多様な形態で接地端子を設けて製作される。
【００９５】
また、図１６に示すように、別途のプラグが結合される後面の場合には、Ｆ型、Ａ型とＦ型が統合されたＡ＋Ｆ統合型、Ｅ型規格などのプラグの形態に対応して多様に製作されて適用できる。
【００９６】
このように、本発明の電源プラグアダプターの接地端子の形態は、特定のプラグ形態に限定されず、国家別コンセント規格に対応して多様な形態に接地端子を設けて製作できる。
【００９７】
以下では、図５、図８、図９及び図１１〜図１３を参照して前述した分離が容易な電源プラグ及び電源プラグアダプターの作動について説明する。
【００９８】
まず、電源プラグについて説明する。
【００９９】
コンセントに本発明の電源プラグが結合された状態で、使用者がレバー２２０の加圧部２２２に力を加えて加圧すれば、レバー２２０の回動軸２２１は軸穴２１３に結合された状態で軸穴２１３を基準に下側に回動しながらレバーホール２１２の内部に挿入される。
【０１００】
すると、レバー２２０のカム部２２３は分離ピン２３０のラウンド面２３１ｂと接触して摩擦しながら、分離ピン２３０は分離ピンスライド部２１６に装着された状態でスライド移動する。
【０１０１】
これにより、分離ピン２３０はカバー４００の分離ピン貫通孔４１０を通じて外部に突出するので、コンセントから電源プラグが分離できる。
【０１０２】
次に、電源プラグアダプターについて説明する。
【０１０３】
家電製品の電源プラグのように電源線と一体にパッケージングされて仕上げられた電源プラグをプラグ挿入孔４５０に挿入して、電源プラグと本発明の電源プラグアダプターを結合させた状態で、コンセントに本発明の電源プラグアダプターを結合させる。
【０１０４】
その後、コンセントから電源プラグアダプターを分離しようとする場合、コンセントに本発明の電源プラグが結合された状態で、使用者がレバー２２０の加圧部２２２に力を加えて加圧すれば、レバー２２０の回動軸２２１は軸穴２１３に結合された状態で軸穴２１３を基準に下側に回動しながらレバーホール２１２の内部に挿入される。
【０１０５】
すると、レバー２２０のカム部２２３は分離ピン２３０のラウンド面２３１ｂと接触して摩擦しながら、分離ピン２３０は分離ピンスライド部２１６に装着された状態でスライド移動する。
【０１０６】
これにより、分離ピン２３０はカバー４００の分離ピン貫通孔４１０を通じて外部に突出するので、コンセントから電源プラグアダプターが分離できる。
【０１０７】
一方、本発明の電源プラグ及び電源プラグアダプターは、人差し指で電源プラグ又は電源プラグアダプターの下部に形成された把持部４４０を把持することによって、安定的に電源プラグ又は電源プラグアダプターを把持でき、レバー２２０のカム部２２３の外周面に沿って分離ピン２３０の摩擦部２３１が円滑に接触できる。
【０１０８】
また、本発明の電源プラグアダプターは前もって製作された一体化した電源プラグに簡単に着脱して使うきる。
【０１０９】
これにより、電源プラグを安定的に把持した状態で曲面に形成されたカム部２２３と分離ピン２３０のラウンド面２３１ｂが円滑に接触することにより、抵抗が最小化した状態で分離ピン２３０が移動できるので、レバー２２０を押すときに発生する力の損失を減らして加圧力を極大化させることにより、相対的に小さな力でコンセントから電源プラグを分離きる特徴がある。
【０１１０】
また、家電製品などに適用された一体化した電源プラグに前記電源プラグアダプターを結合して使用きるので、コンセントから電源プラグアダプターを容易に分離し、電源が印加されることを遮断できる特徴がある。
【０１１１】
一方、本発明は前述した実施例に限定されるものではなく、本発明の要旨を逸脱しない範疇内で修正及び変形して実施でき、そのような修正及び変形されたものも、本発明の技術的思想に属す。
【図１】
0006306746.tif 000002
【図２】
0006306746.tif 000003
【図３】
0006306746.tif 000004
【図４】
0006306746.tif 000005
【図５】
0006306746.tif 000006
【図６】
0006306746.tif 000007
【図７】
0006306746.tif 000008
【図８】
0006306746.tif 000009
【図９】
0006306746.tif 000010
【図１０】
0006306746.tif 000011
【図１１】
0006306746.tif 000012
【図１２】
0006306746.tif 000013
【図１３】
0006306746.tif 000014
【図１４】
0006306746.tif 000015
【図１５】
0006306746.tif 000016
【図１６】
0006306746.tif 000017